(57)【要約】      （修正有）【課題】鉢やプランター等に入れ替えたり、植え替え、運搬等を行う際に、育種用ポットの中の土や水等によって床や、手、服などを汚し難い育苗用ポットを提供する。【解決手段】育苗用ポット１は、側面部１１ａと底面部１１ｂとを有するポット本体部１１の上部に突出して設けられ、育苗用ポット１を把持するための把持部１２を有するため、鉢やプランター等に入れ替えたり、植え替え、運搬等を行う際に、把持部１２を持つことにより、ポット本体部１１の中の土や泥水等によって、床や、手、服などを汚すことを極力防止できる。【選択図】図２
0003185014.tif 000002
【実用新案登録請求の範囲】
【請求項１】
植物の苗等を育てるための育苗用ポットであって、
底面部とその底面部から起立した側面部とを有するポット本体部と、そのポット本体部の上部に設けられ、当該育苗用ポットを把持するための把持部とを有することを特徴とする育苗用ポット。
【請求項２】
請求項１記載の育苗用ポットにおいて、
前記ポット本体部の底面部と側面部とは、網またはメッシュ素材からなり、そのメッシュ素材からなる底面部と側面部の外側には適宜間隔で骨部が設けられていることを特徴とする育苗用ポット。
【請求項３】
請求項２に記載の育苗用ポットにおいて、
前記ポット本体部の骨部と前記把持部とは、一体で構成されていることを特徴とする育苗用ポット。
【請求項４】
請求項１または請求項２に記載の育苗用ポットにおいて、
前記ポット本体部と前記把持部とは、分割して構成されていることを特徴とする育苗用ポット。
【請求項５】
請求項１〜請求項４のいずれかの一の請求項に記載の育苗用ポットにおいて、
前記ポット本体部と前記把持部とは、ステンレスや銅、アルミ、プラスチック等の錆び難い材質から構成されていることを特徴とする育苗用ポット。
【考案の詳細な説明】
【技術分野】
【０００１】
本考案は、植物の苗等を育てるための育苗用ポットに関し、特に、鉢やプランターに入れ替えたり、植え替え、運搬等する際に、床や、手、服などを汚さずに使用できる育苗用ポットに関する。
【背景技術】
【０００２】
植物の苗等を育てるための育苗用ポットとして、排水孔が設けられた底面部（底壁）とその底面部から起立した側面部（側壁）とからなるポット本体部を有するものが各種提案されている（例えば、特許文献１〜５参照。）。
【先行技術文献】
【特許文献】
【０００３】
【特許文献１】特開２０００−１８８９６２号公報
【特許文献２】特開２００３−７０３６４号公報
【特許文献３】特開２００５−８０６１９号公報
【特許文献４】特開２００６−２０４３０５号公報
【特許文献５】特開２００８−９２８８０号公報
【考案の概要】
【考案が解決しようとする課題】
【０００４】
しかし、上述の特許文献１〜５の従来の育苗用ポットでは、鉢やプランター等に入れ替えたり、植え替え、運搬等を行う際に、ポット本体部の底面部（底壁）や側面部（側壁）を掴んで植え替えを行う必要があった。
【０００５】
そのため、ポット本体部が軟質な部材から構成されている場合には、ポット本体部が折れ曲って、ポット本体部の中の培養土等の土や泥水等が落下して、手や服などを汚すおそれがあった。また、ポット本体部が硬質な部材から構成されている場合でも、ポット本体部に土が上部まで満タンに入っている場合には、中の土や泥水等によって床や、手、服などが汚れやすかった。
【０００６】
また、従来の育苗用ポットでは、植物の種類よっては伸び過ぎた根などを切り取る必要が生じるが、その根がポット内で密生してしまい、密生した根をユーザーが手でほぐして切除しなければならず、手間がかかると共に、手や服などを汚す要因となっていた。
【０００７】
そこで、本考案は、このような問題点に着目してなされたもので、鉢やプランター等に入れ替えたり、植え替え、運搬等を行う際に、育種用ポットの中の土や水等によって床や、手、服などを汚し難い育苗用ポットを提供することを目的とする。
【課題を解決するための手段】
【０００８】
前記課題を解決するため、本考案に係る育苗用ポットは、植物の苗等を育てるための育苗用ポットであって、底面部とその底面部から起立した側面部とを有するポット本体部と、そのポット本体部の上部に設けられ、当該育苗用ポットを把持するための把持部とを有することを特徴とする。
ここで、前記ポット本体部の底面部と側面部とは、網またはメッシュ素材からなり、そのメッシュ素材からなる底面部と側面部の外側には適宜間隔で骨部が設けられていると良い。
また、前記ポット本体部の骨部と前記把持部とは、一体で構成されているとさらに良い。
また、前記ポット本体部と前記把持部とは、分割して構成されていても良い。
また、前記ポット本体部と前記把持部とは、ステンレスや銅、アルミ、プラスチック等の錆び難い材質から構成されているとさらに良い。
【考案の効果】
【０００９】
本考案によれば、底面部と側面部とを有するポット本体部の上部に、当該育苗用ポットを把持するための把持部を設けたため、鉢やプランター等に入れ替えたり、植え替え、運搬等を行う際に、その把持部を持つことにより、ポット本体部の中の土や泥水等によって床や、手、服などを汚すことを極力防止できる。
【図面の簡単な説明】
【００１０】
【図１】本考案に係る実施形態１（一体構造）の育苗用ポットの平面図である。
【図２】本考案に係る実施形態１の育苗用ポットの正面図である。
【図３】本考案に係る実施形態１の育苗用ポットの側面図である。
【図４】本考案に係る実施形態１の育苗用ポットに植物またはその苗と土や肥料を入れた状態を示す正面図である。
【図５】本考案に係る実施形態１の育苗用ポットをプランターに入れた状態を示す断面図である。
【図６】本考案に係る実施形態２（分割構造）の育苗用ポットの正面図である。
【図７】本考案に係る実施形態２の育苗用ポットの他の例の平面図である。
【図８】本考案に係る実施形態２の育苗用ポットの他の例の正面図である。
【図９】本考案に係る実施形態２の育苗用ポットのさらに他の例の平面図である。
【図１０】本考案に係る実施形態２の育苗用ポットのさらに他の例の正面図である。
【考案を実施するための形態】
【００１１】
実施形態１．
次に、本考案に係る実施形態１（一体構造）の育苗用ポット１について説明する。
【００１２】
図１〜図３は、それぞれ、実施形態１の育苗用ポット１０の平面図、正面図、側面図である。また、図４は、実施形態１の育苗用ポット１の中に植物またはその苗（以下、苗等と略す。）２と土や肥料（以下、土等と略す。）３を入れて育てた状態を示している。
【００１３】
本実施形態１の育苗用ポット１は、図４に示すように苗等１を育てるためのもので、図１〜図３に示すようにポット本体部１１と、把持部１２とを有する。
【００１４】
ポット本体部１１は、例えば、錆び難く腐食に強くて細いステンレス製鋼線や銅線、アルミ線等からなり、中に入れた土等３が落下しない程度の大きさの目の細かい網目を有するステンレス製の網またはメッシュ素材からなる側面部１１ａおよび底面部１１ｂと、太めのステンレス製や銅、アルミ等の棒材からなる骨部１１ｃと、ステンレス製や銅、アルミ等の板材からなる円環部１１ｄと有する。ここで、側面部１１ａは、上方に向かうほど口径が広くなる一方、下方に向かうほど口径が狭くなるいわゆる円錐台形状である一方、底面部１１ｂは、平面視ほぼ円形状であり、側面部１１ａの下部で連結されている。なお、側面部１１ａの形状は、円錐台形状でなく、円筒形でも良いし、四角形や六角形の角筒形状でも良い。
【００１５】
そのため、ポット本体部１１の側面部１１ａと底面部１１ｂの網目が排水孔の役目を果たすため、水ハケも良く、育苗用ポット１で生育している苗等２の根腐れを効果的に防止できる。また、植物の種類よっては伸び過ぎた根などを切り取る必要が生じるが、この育苗用ポット１では、ポット本体部１１の側面部１１ａと底面部１１ｂとを細かい網目を有する網やメッシュ素材から構成しているため、ポット本体部１１内で育てている苗等１２の支根が側面部１１ａと底面部１１ｂの網目から外部にはみ出しても簡単に切除することができる。そのため、苗等１２の支根を切除する場合にも、手や服などを汚さずに支根を切除できる。なお、ポット本体部１１の側面部１１ａや底面部１１ｂは、錆びや腐食に強いステンレスや製、アルミ等の網またはメッシュ素材ではなく、中に入れた土等３が落下しない程度の大きさの小孔（排水孔）が多数空いたパンチングメタル等の鋼板や、鋼板に多数の小孔（排水孔）を空けたものでも良い。
【００１６】
そして、ポット本体部１１の側面部１１ａと底面部１１ｂの外側には、適宜間隔、例えば、９０度間隔で骨部１１ｃを設けると共に、この骨部１１ｃを上方に延ばし折り曲げることにより水平部分を形成して、ユーザーが掴んだり持つための把持部１２としている。
【００１７】
ここで、骨部１１ｃと把持部１２とは、例えば、直径３ｍｍ程度の太目の１本のステンレスや銅、アルミ等の鋼線により一体成形する。なお、骨部１１ｃを上方に延ばして折り曲げる際、半円形状に湾曲させて把持部１２としても良いし、骨部１１ｃと把持部１２とは、１本の鋼線ではなく複数本の鋼線を溶接等して一体成形するようにしても良い。
【００１８】
従って、実施形態１の育苗用ポット１によれば、網目状の側面部１１ａと底面部１１ｂとを有するポット本体部１１の上部から突出する把持部１２を有するため、ユーザーが把持部１２を持って図４に示すように鉢やプランター４等に入れ替えたり、植え替え、運搬等を行うことができる。その結果、ポット本体部１１の中の土等３や泥水等によってベランダや床、さらには手や服などを汚すことを極力防止できる。また、ポット本体部１１の側面部１１ａと底面部１１ｂとを細かい網目を有するため、ポット本体部１１内で育てている苗等１２の支根が側面部１１ａと底面部１１ｂの網目から外部にはみ出しても簡単に切除することができ、この点でも手や服などを汚すことを極力防止できる。
【００１９】
特に、この実施形態１の育苗用ポット１では、骨部１１ｃと把持部１２とは一体成形しているため、把持部１２を簡単に設けることができると共に、骨部１１ｃがポット本体部１１の側面部１１ａと底面部１１ｂとを外側から覆うことによりポット本体部１１を補強することができる。また、骨部１１ｃと把持部１２との溶接等が不要であり、製造コストも低減することができる。
【００２０】
また、実施形態１の育苗用ポット１では、骨部１１ｃと把持部１２とは一体成形しているだけでなく、図１や図３に示すように１本の鋼線を折り曲げ加工して設けているため、骨部１１ｃと把持部１２とを簡単かつ頑丈に設けることができる。
【００２１】
また、把持部１２は、骨部１１ｃと一体成形され、図１〜図４に示すようにほぼ円形状の側面部１１ａの上端口部とほぼ面一に上方へ延びているため、ポット本体部１１に苗等２と土等３を入れて、図４に示すように苗等２が生長しても、把持部１２が苗等２の成長を妨げることを防止できる。
【００２２】
また、実施形態１の育苗用ポット１では、図１〜図４に示すようにポット本体部１１の側面部１１ａの上端部に、網目や多数の小孔（排水孔）が空いていない円管状の円管部１１ｄを設けているため、ポット本体部１１に苗等２と土等３を入れて、上方から水を掛けた時に、ポット本体部１１の上端部で横方向に水が漏れたり、泥が跳ねることを防止できる。その結果、この点でも、育苗用ポット１を置いたベランダや床、さらには手等が汚れることを防止できる。
【００２３】
また、実施形態１の育苗用ポット１は、ポット本体部１１を構成する側面部１１ａ、底面部１１ｂ、骨部１１ｃおよび円環部１１ｄや、把持部１２を錆びや腐食に強い難いステンレスや銅、アルミ等の材料により構成したため、何度で繰り返して使用してリサイクルできる。その結果、地球環境に易しいエコロジーな育苗用ポット１を提供できる。
【００２４】
実施形態２．
次に、本考案に係る実施形態２（分割構造）の育苗用ポット１’について説明する。
【００２５】
上記実施形態１の育苗用ポット１では、骨部１１ｃと把持部１２とはステンレスや銅、アルミ等の太めの鋼線により一体成形して説明したが、実施形態２の育苗用ポット１’では、ポット本体部１１と把持部１２とは、図６〜図１０に示すように分割構造で構成したことを特徴とする。
【００２６】
まず、図６は、本考案に係る実施形態２（分割構造）の育苗用ポット１’の第１の例を示す正面図である。
【００２７】
実施形態２の育苗用ポット１’の第１の例では、図６に示すように骨部１１ｃと把持部１２とを別部材で構成して分割構造にすると共に、骨部１１ｃをステンレス等の中空のパイプにより構成する一方、把持部１２の下端部の外径を骨部１１ｃの内径と同じにして、使用時には骨部１１ｃの中に把持部１２の下端部を挿入してポット本体部１１と把持部１２とを一体にできるようにしたものである。なお、これとは反対に、把持部１２側をステンレス等の中空のパイプにより構成する一方、骨部１１ｃの上端部の外径を把持部１２の内径と同じにして、把持部１２の中に骨部１１ｃの上端部が挿入可能にしてポット本体部１１と把持部１２とを一体にできるように構成しても良い。後者の場合、骨部１１ｃが中実の芯材やその上端部が閉塞していれば、分割構造にできるだけでなく、骨部１１ｃの中に水や泥が入ることもなくなり、この点で、前者の場合よりもメリットがある。
【００２８】
従って、実施形態２の育苗用ポット１’によれば、予め分割されているポット本体部１１の骨部１１ｃと把持部１２とを連結して一体にすれば、実施形態１の育苗用ポット１と同様に、網目状のポット本体部１１の上端部から把持部１２が起立することになるので、ポット本体部１１の中に苗等２や土等３を入れた場合でも、ユーザーが把持部１２を持って鉢やプランター４等に入れ替えたり、植え替え、運搬等を行うことができる。その結果、実施形態２の育苗用ポット１’によっても、ポット本体部１１の中の土等３や泥水等によってベランダや床、さらには手や服などを汚すことを極力防止できる。
【００２９】
また、実施形態２の育苗用ポット１’では、把持部１２を使用しない場合や、ポット本体部１１の中で苗等２が大きく生育等して把持部１２が不要になったり、鉢やプランター４等に入れる際に把持部１２が邪魔等になった場合は、ポット本体部１１から把持部１２を取り外すことが可能となり、ユーザの使用勝手に合わせることができるので、非常に便利である。
【００３０】
また、図７および図８は、それぞれ、本考案に係る実施形態２（分割構造）の育苗用ポット１’の他の例の平面図、平面図である。また、図９および図１０は、本考案に係る実施形態２（分割構造）の育苗用ポット１’のさらに他の例の平面図、正面図である。
【００３１】
図７および図８に示す本考案に係る実施形態２（分割構造）の育苗用ポット１’の他の例は、把持部１２の下端部にフック部１２ａを設けて、そのフック部１２ａがポット本体部１１の側面部１１ａにおける網目または小孔（排水孔）に引っ掛かるようにしてポット本体部１１と把持部１２とを一体化できるように構成したもので、図６に示す上述の実施形態２の育苗用ポット１’の第１の例と同様の効果が得られる。
【００３２】
また、図９および図１０に示す本考案に係る実施形態２（分割構造）の育苗用ポット１’のさらに他の例は、ポット本体部１１の側面部１１ａの上端部に設けた円管部１１ｄに、複数の取り付け孔１１ｄ１を設けておき、その取り付け孔１１ｄ１に把持部１２’の下端部の引掛け部１２ａ’を挿入してポット本体部１１と把持部１２とを一体化できるように構成したもので、図６に示す上述の実施形態２の育苗用ポット１’ の第１の例と同様の効果が得られる。
【００３３】
なお、上記実施形態１，２の育苗用ポット１，１’では、ポット本体部１１と把持部１２とを錆び難いステンレスや、銅、アルミ等の金属材料により構成して説明したが、本発明では、これに限らず、プラスチック等の合成樹脂やセラミック等の錆びや腐食に強い金属以外の素材により成形することもできる。
【符号の説明】
【００３４】
１，１’  育苗用ポット
１１  ポット本体部
１１ａ  側面部
１１ｂ  底面部
１１ｃ  骨部
１１ｄ  円環部
１２，１２’  把持部
１２ａ  フック部
１２ａ’  引掛け部
２  苗等（植物や苗）
３  土等（土や肥料）
４  プランター
【図１】
0003185014.tif 000003
【図２】
0003185014.tif 000004
【図３】
0003185014.tif 000005
【図４】
0003185014.tif 000006
【図５】
0003185014.tif 000007
【図６】
0003185014.tif 000008
【図７】
0003185014.tif 000009
【図８】
0003185014.tif 000010
【図９】
0003185014.tif 000011
【図１０】
0003185014.tif 000012